(57)【要約】【課題】ピンバッジの使用時、留め具が肌に当接しても痛みを生じたり、怪我をするおそれがほとんどなく、加工が容易で、かつ軽量化および低コスト化も図れるピンバッジを提供する。【解決手段】弾性ゴムを含むエラストマーからなる留め具１４により、ピン１３の針１６の全体を被うようにしたため、ピンバッジ１０の使用時、留め具１４が肌に当接しても痛みを生じたり、怪我をするおそれがほとんどない。しかも、ピンバッジ１０の加工が容易で、かつ軽量化および低コスト化も図ることができる。【選択図】図１
0003234238.tif 000002
【実用新案登録請求の範囲】
【請求項１】
衣服又は服飾小物類を装飾するバッジ本体と、
該バッジ本体の裏面に立設され、かつ前記衣服又は服飾小物類に針が刺されるピンと、
該ピンの針が刺し込まれて、前記バッジ本体を前記衣服又は服飾小物類に支持する留め具とを備え、
前記留め具は、弾性ゴムを含むエラストマーからなるとともに、前記ピンの針全体を被うものであることを特徴とするピンバッジ。
【請求項２】
前記バッジ本体は、エラストマーを含むプラスチックからなることを特徴とする請求項１に記載のピンバッジ。
【請求項３】
前記留め具は、装飾性を有して別のバッジ本体となる部材で、前記バッジ本体との間でリバーシブルに使用可能なことを特徴とする請求項１又は請求項２に記載のピンバッジ。
【請求項４】
前記留め具は多面体で、
該留め具の複数の面には、前記針の長さより短尺で、かつ該針の直進刺し込みをガイドする刺し込みガイド孔が配設されたことを特徴とする請求項１〜請求項３のうち、何れか１項に記載のピンバッジ。
【請求項５】
前記バッジ本体および前記留め具の少なくとも一方の素材には、香料が添加されたことを特徴とする請求項１〜請求項４のうち、何れか１項に記載のピンバッジ。
【請求項６】
前記ピンは、押しピン又はプラスチックピンであることを特徴とする請求項１〜請求項５のうち、何れか１項に記載のピンバッジ。
【考案の詳細な説明】
【技術分野】
【０００１】
本考案は、ピンおよび留め具を介して、バッジ本体を衣服などに取り付けるピンバッジに関する。
【背景技術】
【０００２】
衣服や服飾小物類（以下、衣服等）にピンを刺し、装飾品の一種であるバッジ本体を着脱自在に取り付けるピンバッジとして、例えば、特許文献１に記載されたものなどが知られている。
特許文献１のピンバッジは、宝石や金属などからなる硬いバッジ本体の裏面に固定されたピンを衣服等の生地に刺し、生地の反対側から突出したピンの先端部に、生地を挟んだ状態で留め具を刺し込む。これにより、バッジ本体を衣服等に着脱可能に装着している。
なお、従来の留め具は、ピン全体を被う金属製の突起物であった。
【先行技術文献】
【特許文献】
【０００３】
【特許文献１】実用新案登録第３１７４０６３号公報
【考案の概要】
【考案が解決しようとする課題】
【０００４】
しかしながら、特許文献１のピンバッジは、このように留め具が金属製の突起物であったため、例えば、ピンバッジをＹシャツやブラウスの胸元に装着したとき、留め具が肌に当たって痛みを生じたり、最悪の場合には怪我をするおそれもあった。
また、留め具の素材がステンレスなどの金属であったため、加工がしにくく、かつ重くて価格も高かった。
【０００５】
そこで、考案者は鋭意研究の結果、留め具の各素材に弾性ゴムを含むエラストマーを採用すれば、上述した課題はすべて解消されることを知見し、本考案を完成させた。
【０００６】
すなわち、本考案は、ピンバッジの使用時、留め具が肌に当接しても痛みを生じたり、怪我をするおそれがほとんどなく、加工が容易で、かつ軽量化および低コスト化も図れるピンバッジを提供することを目的としている。
【課題を解決するための手段】
【０００７】
請求項１に記載の考案は、衣服又は服飾小物類を装飾するバッジ本体と、該バッジ本体の裏面に立設され、かつ前記衣服又は服飾小物類に針が刺されるピンと、該ピンの針が刺し込まれて、前記バッジ本体を前記衣服又は服飾小物類に支持する留め具とを備え、前記留め具は、弾性ゴムを含むエラストマーからなるとともに、前記ピンの針全体を被うものであることを特徴とするピンバッジである。
【０００８】
ここでいうピンバッジとは、衣服又は服飾小物類を装飾するバッジ本体の裏面にピンが固着されて、衣服又は服飾小物類に刺されたピンを留め具により掛止するものである。
ここでいう「留め具は、…ピンの針全体を被うものである」とは、留め具の大きさが、ピンに装着した際に、ピンの針先を外部へ露出させないサイズ、すなわち留め具の針刺し部分の針刺し込み方向の長さが、針の長さより長いということを意味する。これにより、露出した針先による怪我が発生しにくく、ピンバッジの安全性を高めることができる。
【０００９】
ピンバッジの種類（用途を含む）は限定されない。
衣服の種類は任意である。例えば、各種の民族服、各種の洋服、各種の和服等が挙げられる。その他、着用する部位を基準として各種の上着、各種の下着などが挙げられる。
服飾小物類の種類は任意である。例えば、帽子、マフラー、スカーフ、手袋、靴下、帯留めなどを採用することができる。
【００１０】
バッジ本体は、ピンバッジの種類に応じて適宜変更される。例えば、各種のキャラクターバッジ、社章、団体章、メンバー章などが挙げられる。
バッジ本体（留め具も同じ）の素材（材料）は限定されない。例えば、各種のプラスチック（エラストマーを含む）を採用することができる。その他、例えば、各種の金属、各種の木、各種のセラミックでもよい。
ピンの形状やサイズ（例えば、針の直径や長さ等）は任意である。針の先端部は、衣服や服飾小物類の生地に刺せるような形状であれよい。
【００１１】
留め具は、少なくとも針の刺し込み部分の全体が、弾性ゴムを含むエラストマーからなるものである。例えば、この留め具の全体を、弾性ゴムを含むエラストマーとしてもよい。
留め具の形状は任意である。例えば、板状、ブロック状、球状などでもよい。
留め具には、針の刺し込み位置を示す目印（ターゲット）を付けてもよい。
【００１２】
エラストマーの種類は限定されない。例えば、各種の弾性ゴム（合成ゴム、弾力ゴム、加硫ゴム）の他、各種の熱硬化性エラストマー、各種の熱可塑性エラストマーなどを採用することができる。このうち、熱硬化性エラストマーとしては、例えば、ウレタンゴムの一部、シリコーンゴム、フッ素ゴムなどの樹脂系エラストマーが挙げられる。また、熱可塑性エラストマーとしては、ポリスチレン系エラストマー、オレフィン／アルケン系エラストマー、ポリ塩化ビニル系エラストマー、ポリウレタン系エラストマー、ポリエステル系エラストマー、ポリアミド系エラストマーなどが挙げられる。
エラストマーは、発泡弾性ゴムを含む発泡エラストマーでもよい。
【００１３】
特に、請求項２に記載の考案は、前記バッジ本体は、エラストマーを含むプラスチックからなることを特徴とする請求項１に記載のピンバッジである。
【００１４】
プラスチックの種類は限定されない。例えば、ポリエチレン、ポリプロピレン、シリコーン、ポリスチレン、ポリ塩化ビニル、ポリウレタン、ポリエステル、ポリアミドなどを採用することができる。
【００１５】
また、請求項３に記載の考案は、前記留め具は、装飾性を有して別のバッジ本体となる部材で、前記バッジ本体との間でリバーシブルに使用可能なことを特徴とする請求項１又は請求項２に記載のピンバッジである。
【００１６】
ここでいう「リバーシブル」とは、本来、衣服又は服飾小物類の裏側に配されるべき留め具に装飾性を付与して別のバッジ本体としたことで、これを衣服などの表側に配置する一方、通常は表側に配されるべきバッジ本体を、衣服などの裏側に配置して使用することをいう。
【００１７】
さらに、請求項４に記載の考案は、前記留め具は多面体で、該留め具の複数の面には、前記針の長さより短尺で、かつ該針の直進刺し込みをガイドする刺し込みガイド孔が配設されたことを特徴とする請求項１〜請求項３のうち、何れか１項に記載のピンバッジである。
【００１８】
多面体の形状は任意である。例えば、２面体、３面体、４面体、５面体、６面体、８面体などでもよい。
刺し込みガイド孔が形成される面は、留め具を構成する面のうち、少なくとも２面以上であればよい。例えば、留め具が６面体（直方体）の場合、全ての面に配してもよい。
【００１９】
留め具の２面以上に刺し込みガイド孔を形成する理由は、１つの刺し込みガイド孔を繰り返し使用すれば、孔径が徐々に大きくなり、ピン（針）の固定力が低下して行くためである。その際には、留め具の別の面に形成した刺し込みガイド孔を使用する。
各面における刺し込みガイド孔の形成数は任意である。例えば、１つでも２つ以上でもよい。
【００２０】
各刺し込みガイド孔の深さは、針の刺し込み方向を規制可能で、かつ針の長さより短ければ限定されない。例えば、針の長さの１０％〜５０％でもよい。特に、各刺し込みガイド孔の深さが針の長さの３分の１〜２分の１であれば、針の直進性を高めるとともに、留め具の十分な弾性固定力（弾性把持力）も得ることができる。
この刺し込みガイド孔は、針を留め具に刺し込む際に、針が斜めに刺し込まれて、針先が留め具の側面から突出しないように、針の刺し込み方向を直進のみに規制するものである。
【００２１】
さらにまた、請求項５に記載の考案は、前記バッジ本体および前記留め具の少なくとも一方の素材には、香料が添加されたことを特徴とする請求項１〜請求項４のうち、何れか１項に記載のピンバッジである。
【００２２】
香料の素材は任意である。例えば、ラベンダー、ジャスミン、バラなどを採用することができる。
素材に香料が添加されるものは、バッジ本体のみ、留め具本体のみでもよい。又は、これらの両方でもよい。
【００２３】
さらにまた、請求項６に記載の考案は、前記ピンは、押しピン又はプラスチックピンであることを特徴とする請求項１〜請求項５のうち、何れか１項に記載のピンバッジである。
ピンは、各種の押しピンでもよい。又は、各種のプラスチック製のピンでもよい。
【考案の効果】
【００２４】
請求項１に記載の考案によれば、弾性ゴムを含むエラストマーからなる留め具により、ピンの針全体を被うようにしたため、ピンバッジの使用時、留め具が肌に当接しても痛みを生じたり、怪我をするおそれがほとんどない。しかも、従来の金属製のものに比べてピンバッジの加工が容易で、かつ軽量化および低コスト化も図ることができる。
【００２５】
特に、請求項２に記載の本考案によれば、バッジ本体を、エラストマーを含むプラスチックとしたため、ピンバッジを着用して走ったり激しい運動をしても、従来の宝石や金属といった硬い素材製のバッジ本体に比べて、Ｙシャツやブラウスなどの衣服や服飾小物類にバッジ本体が擦れて、生地などを傷付けるおそれが少ない。
【００２６】
また、請求項３に記載の本考案によれば、エラストマー製の留め具を、装飾性を有した別のバッジ本体とすれば、表裏２つのバッジ本体の何れかを衣服や服飾小物類の表面に露出させて、１つのピンバッジをリバーシブルに使用することができる。
【００２７】
さらに、請求項４に記載の本考案によれば、多面体の留め具の複数の面には、刺し込みガイド孔が形成されている。そのため、ピンを留め具に刺し込む際に、針が斜めに刺し込まれて、針先が留め具の側面から突出しないよう、この針の刺し込み方向を規制することができる。
【００２８】
さらにまた、このように刺し込みガイド孔を留め具の２面以上に形成したため、１つの刺し込みガイド孔を繰り返し使用し、孔径が徐々に大きくなってピンの固定力が低下した際には、留め具の別の面に形成した刺し込みガイド孔を使用することで、留め具によるピン（針）の大きな固定力（把持力）を維持することができる。
【００２９】
また、請求項５に記載の本考案によれば、バッジ本体および留め具の少なくとも一方の素材に香料を添加したため、バッジ本体によって衣服や服飾小物類を装飾するだけでなく、香料の香りを楽しむこともできる。
【００３０】
さらに、請求項６に記載の本考案によれば、ピンとして、押しピン又はプラスチックピンを採用したことで、ピンバッジを安価に提供することができる。
【図面の簡単な説明】
【００３１】
【図１】本考案の実施例１に係るピンバッジをＹシャツに装着した使用状態を示す拡大斜視図である。
【図２】本考案の実施例１に係るピンバッジの使用状態を示す拡大断面図である。
【図３】本考案の実施例２に係るピンバッジの使用状態を示す拡大斜視図である。
【図４】本考案の実施例２に係るピンバッジにおいて、バッジ本体の針を留め具の刺し込みガイド孔に挿入した状態を示す縦拡大断面図である。
【図５】本考案の実施例３に係るピンバッジの使用状態を示す拡大正面図である。
【図６】本考案の実施例３に係るピンバッジの使用状態を示す拡大縦断面図である。
【考案を実施するための形態】
【００３２】
以下、本考案の実施例を具体的に説明する。
【実施例】
【００３３】
図１および図２において、１０は本考案の実施例１に係るピンバッジで、このピンバッジ１０は、Ｙシャツ（衣服又は服飾小物類）１１を装飾するバッジ本体１２と、バッジ本体１２の裏面に立設され、かつＹシャツ１１の前身頃に刺されるピン１３と、ピン１３が刺し込まれて、バッジ本体１２をＹシャツ１１の裏側から支持する留め具１４とを備えている。
【００３４】
以下、これらの構成部品を具体的に説明する。
バッジ本体１２は、ハートをモチーフとしたプラスチック製の薄い板片である。バッジ本体１２の裏面の中央部には、この裏面に対してピン１３が直角に立設されている。なお、バッジ本体１２の表面には、例えば、キャラクタのイラストなどがプリントされてもよい。
【００３５】
ピン１３は、円板１５の表面に、先端が尖った針１６が固定された金属製（プラスチック製でもよい）の押しピンである。針１６の長さは、８．５ｍｍである。円板１５の裏面がハート型のバッジ本体１２の裏面に、例えば両面テープ１７により貼着されている。
【００３６】
留め具１４は、発泡弾性ゴム（エラストマー）製で、ピン１３の針１６全体を被えるように、一辺の長さが１０ｍｍの立方体である。留め具１４の一面（各面でもよい）の中央部には、梁１６の刺し込み位置を示す目印のマークａが形成されている。このように、留め具１４は発泡体であるため、軽量の度合いが高いとともに、針１６の抜き刺しが容易となる。
【００３７】
以下、図１および図２を参照して、本考案の実施例１のピンバッジ１０の使用方法を説明する。
図１および図２に示すように、ピンバッジ１０をＹシャツ１１に装着する際には、まず、ピンバッジ１０のピン１３の針１６を、Ｙシャツ１１の一方の前身頃の表側から所定位置（胸部）に刺し通す。
その後、前身頃の裏側から突出したピン１３の針先に、留め具１４の一面の中央部を当接し、そのまま留め具１４を針基端の方向へ真っ直ぐに突き刺す。
【００３８】
弾性体である留め具１４に刺し込まれた針１６は、その露出面の全体が発泡弾性ゴムの弾性復元力によって留め具１４にしっかりと把持される。その結果、ピンバッジ１０のピン１３に留め具１４が装着されるとともに、装飾体であるハート形のバッジ本体１２が、前身頃の胸部の前面に固定される。
【００３９】
このように、実施例１では、留め具１４の素材に発泡弾性ゴムを採用するとともに、留め具１４を一辺の長さが針１６の長さより長尺な立方体として、留め具１４によりピン１３の針１６の全体を被うように構成したため、ピンバッジ１０の使用時、針１６の先端が肌に当接して怪我をすることがなく、かつ留め具１４が肌に接触しても痛みを生じたり、怪我をするおそれもない。
【００４０】
しかも、このように留め具１４が発泡弾性ゴム製であるため、ピンバッジ１０の加工が容易で、かつピンバッジ１０の軽量化および低コスト化も図ることができるとともに、ピンバッジ１０をＹシャツ１１に装着して走ったり激しい運動をしても、従来の宝石や金属といった硬い素材製のバッジ本体１２に比べて、バッジ本体１２がＹシャツ１１の表面に擦れて、Ｙシャツ１１の生地を傷めるおそれは少ない。
【００４１】
次に、図３および図４を参照して、本考案の実施例２に係るピンバッジを説明する。
図３に示すように、本考案の実施例２のピンバッジ１０Ａの特徴は、実施例１の留め具１４に代えて、装飾性を有して別のバッジ本体となる正１２面体（多面体）の留め具１４Ａを採用して、バッジ本体１２との間でリバーシブルに使用可能にした点である。
【００４２】
留め具１４Ａの各面の中央部には、針１６の長さの３分の１以上となる、例えば約３ｍｍの長さを有した刺し込みガイド孔２０が、留め具１４Ａの中心に向かってそれぞれ穿設されている（図４を参照）。正１２面体である留め具１４Ａの一辺の長さは、例えば約５ｍｍである。
また、バッジ本体１２と留め具１４Ａの両素材には、それぞれ同一又は異なる香料が微量添加されている。
【００４３】
以下、図３および図４を参照して、本考案の実施例２のピンバッジ１０Ａの使用方法を説明する。
図３に示すように、バッジ本体１２を表側に露出してピンバッジ１０ＡをＹシャツ１１に装着する際には、上述した実施例１の場合と略同じである。
一方、別のバッジ本体である留め具１４Ａを表側に露出してピンバッジ１０ＡをＹシャツ１１に装着する際には、まず、バッジ本体１２の針１６を、Ｙシャツ１１の一方の前身頃の裏側から所定位置に刺し通す。
【００４４】
その後、前身頃の表側から突出したピン１３の針先を、留め具１４Ａの任意の一面の中央部に形成された刺し込みガイド孔２０に刺し込み、そのまま留め具１４Ａを針基端の方向へ真っ直ぐに突き刺す。
このように、留め具１４Ａの面に刺し込みガイド孔２０を形成したため、ピン１３の針１６を留め具１４Ａに刺し込む際に、針１６が斜めに刺し込まれて、針先が留め具１４Ａの側面から突出しないよう、この針１６の刺し込み方向を規制することができる。
特に、刺し込みガイド孔２０の長さを、針１６の長さの３分の１〜２分の１となる約３ｍｍとしたため、針１６を留め具１４Ａに刺し込む際の直進ガイド力が高まるとともに、刺し込みガイド孔２０より奥方の発泡弾性ゴム部分によって、留め具１４Ａの弾性固定力（弾性把持力）も十分に得ることができる。
【００４５】
このとき、実施例２では留め具１４Ａを装飾性がある別のバッジ本体としたため、表裏２つのバッジ本体１２、１４Ａの何れかをＹシャツ１１の表面に露出させて、１つのピンバッジ１０Ａをリバーシブルに使用することができる。
さらにまた、このように刺し込みガイド孔２０を留め具１４Ａの各面に形成したため、１つの刺し込みガイド孔２０を繰り返し使用し、孔径が徐々に大きくなってピン（針１６）１３の固定力が低下した際には、留め具１４Ａの別の面に形成された刺し込みガイド孔２０を使用することで、留め具１４Ａによるピン１３の大きな固定力（把持力）を維持することができる。
【００４６】
また、バッジ本体１２および留め具１４Ａの各素材に香料を添加したため、バッジ本体１２，１４ＡによってＹシャツ１１を装飾するだけでなく、香料の香りを楽しむこともできる。
その他の構成、作用および効果は実施例１と略同一であるため、説明を省略する。
【００４７】
次に、図５および図６を参照して、本考案の実施例３に係るピンバッジを説明する。
図５および図６に示すように、本考案の実施例３のピンバッジ１０Ｂの特徴は、実施例１のバッジ本体１２に代えて、発泡弾性ゴム製の立体的な大きいハート形のバッジ本体１２Ａを採用するとともに、立方体の留め具１４Ｂを別のバッジ本体とすることで、実施例２と同様に、ピンバッジ１０Ｂのリバーシブル使用を可能とした点である。
【００４８】
このように、バッジ本体１２Ａを立体的なハート形の大型部材としたことで、従来の金属製のバッジ本体の場合であれば、リバーシブル使用時のバッジ本体をＹシャツ１１の裏側に配した際に、肌を傷付けるおそれが高まるものの、ここではバッジ本体１２Ａの素材に発泡弾性ゴムを採用したため、このような怪我の懸念が解消される。
その他の構成、作用および効果は、実施例２から推測可能であるため、説明を省略する。
【産業上の利用可能性】
【００４９】
本考案は、衣服や服飾小物類に装着されるピンバッジとして有用な技術である。
【符号の説明】
【００５０】
１０，１０Ａ、１０Ｂ  ピンバッジ
１１  Ｙシャツ（衣服又は服飾小物類）
１２，１２Ａ  バッジ本体
１３  ピン
１４  留め具
１４Ａ，１４Ｂ  留め具（別のバッジ本体）
１６  針
２０  刺し込みガイド孔
【図１】
0003234238.tif 000003
【図２】
0003234238.tif 000004
【図３】
0003234238.tif 000005
【図４】
0003234238.tif 000006
【図５】
0003234238.tif 000007
【図６】
0003234238.tif 000008